【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
顎骨内に埋設されるよう構成された非磁性体からなるインプラント本体に着脱可能であり、オッセオインテグレーション期間中に使用される磁場発生装置であって、
上記インプラント本体の軸方向に沿って顎骨の内方側に向かう方向を先方、その反対側に向かう方向を後方とすると、
上記磁場発生装置は、上記インプラント本体に設けられた凹部に挿入される挿入部と、該挿入部の後方に設けられ上記凹部の外に配置されるヘッド部とを有し、
上記挿入部は、磁石体と、該磁石体を先方及び後方から挟み込むように配置された軟磁性体からなる先端側挿入部材及び基端側挿入部材と、上記磁石体の側面を覆うケース部材とを有していることを特徴とする磁場発生装置。
【請求項２】
上記先端側挿入部材及び上記基端側挿入部材は、軟磁性ステンレス鋼からなる、請求項１に記載の磁場発生装置。
【請求項３】
請求項１又は２に記載の磁場発生装置と、
顎骨内に埋設されるよう構成された非磁性体からなるインプラント本体とを有しており、
上記磁場発生装置は、上記インプラント本体と着脱可能に構成されていることを特徴とするインプラント装置。
【請求項４】
請求項３に記載のインプラント装置を装着した顎堤に装着するインプラント保護用義歯であって、
顎堤を覆う義歯床と、該義歯床に植設された人工歯とを有しており、
上記義歯床は、上記インプラント装置の顎骨から突出する部位を非接触状態で収容する保護凹部を有し、上記義歯床内には、上記磁場発生装置からの磁場を誘導する磁性部材が配置されていることを特徴とするインプラント保護用義歯。
【請求項５】
請求項４に記載のインプラント保護用義歯であって、上記磁性部材は、上記義歯床内に分散配置された磁性体粒子からなることを特徴とするインプラント保護用義歯。
【手続補正２】
【補正対象書類名】明細書
【補正対象項目名】０００８
【補正方法】変更
【補正の内容】
【０００８】
本発明の一態様は、顎骨内に埋設されるよう構成された非磁性体からなるインプラント本体に着脱可能であり、オッセオインテグレーション期間中に使用される磁場発生装置であって、
上記インプラント本体の軸方向に沿って顎骨の内方側に向かう方向を先方、その反対側に向かう方向を後方とすると、
上記磁場発生装置は、上記インプラント本体に設けられた凹部に挿入される挿入部と、該挿入部の後方に設けられ上記凹部の外に配置されるヘッド部とを有し、
上記挿入部は、磁石体と、該磁石体を先方及び後方から挟み込むように配置された軟磁性体からなる先端側挿入部材及び基端側挿入部材と、上記磁石体の側面を覆うケース部材とを有していることを特徴とする磁場発生装置にある。
【手続補正３】
【補正対象書類名】明細書
【補正対象項目名】０００９
【補正方法】変更
【補正の内容】
【０００９】
本発明の他の態様は、上記磁場発生装置と、
顎骨内に埋設されるよう構成された非磁性体からなるインプラント本体とを有しており、
上記磁場発生装置は、上記インプラント本体と着脱可能に構成されていることを特徴とするインプラント装置にある。
【手続補正４】
【補正対象書類名】明細書
【補正対象項目名】００１０
【補正方法】変更
【補正の内容】
【００１０】
本発明のさらに他の態様は、上記インプラント装置を装着した顎堤に装着するインプラント保護用義歯であって、
顎堤を覆う義歯床と、該義歯床に植設された人工歯とを有しており、
上記義歯床は、上記インプラント装置の顎骨から突出する部位を非接触状態で収容する保護凹部を有し、上記義歯床内には、上記磁場発生装置からの磁場を誘導する磁性部材が配置されていることを特徴とするインプラント保護用義歯にある。
【手続補正５】
【補正対象書類名】明細書
【補正対象項目名】００１１
【補正方法】変更
【補正の内容】
【００１１】
上記磁場発生装置は、上記挿入部が有する磁石体と該磁石体を先方及び後方から挟み込む軟磁性体からなる先端側挿入部材及び基端側挿入部材とによって、インプラント本体の周囲に磁場を形成するよう構成されている。これにより、オッセオインテグレーションにかかる期間の短縮が可能と考えられる。
【手続補正６】
【補正対象書類名】明細書
【補正対象項目名】００１７
【補正方法】変更
【補正の内容】
【００１７】
【図１】実施例１における、インプラント装置及びインプラント保護用義歯を示す断面図。
【図２】実施例１における、インプラント本体を示す断面図。
【図３】実施例１における、磁場発生装置を示す断面図。
【図４】実施例１における、磁場発生装置の磁場分布図。
【図５】実施例２における、インプラント装置及びインプラント保護用義歯を示す断面図。
【図６】実施例２における、磁場発生装置を示す断面図。
【図７】参考例１における、インプラント装置及びインプラント保護用義歯を示す断面図。
【図８】参考例１における、インプラント本体を示す断面図。
【図９】参考例１における、磁場発生装置を示す断面図。
【図１０】参考例２における、インプラント装置及びインプラント保護用義歯を示す断面図。
【図１１】参考例２における、磁場発生装置を構成する（ａ）磁石体を示す断面図、（ｂ）キーパを示す断面図。
【手続補正７】
【補正対象書類名】明細書
【補正対象項目名】００１８
【補正方法】変更
【補正の内容】
【００１８】
上記磁場発生装置は、上記インプラント本体に上記磁場発生装置を取り付けた状態において、上記インプラント本体に設けられた凹部内に挿入される挿入部を有し、該挿入部が有する上記磁石体によって上記挿入部に磁気回路が形成される。上記挿入部は、上記インプラント本体の上記凹部内に挿入されるため、上記磁石体によって該挿入部に磁極を形成し、上記インプラント本体の周囲に磁場が形成される。この磁場により、顎骨に磁気刺激を加え、顎骨の成長促進を図ることができる。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
また、上記インプラント保護用義歯において、上記磁性部材は、上記義歯床内に分散配置された磁性体粒子であってもよい。この場合には、上記磁性体粒子を上記義歯床内の広い範囲に分散配置することができる。これにより、上記磁場発生装置と上記磁性体粒子とが磁気的に接続され、上記磁性体粒子は周囲に磁場を形成する。これにより、上記インプラント本体の周囲に配された顎骨のより広い範囲に磁気刺激を加えることができ、より効果的に骨成長の促進を図ることができる。
【手続補正１３】
【補正対象書類名】明細書
【補正対象項目名】００５７
【補正方法】変更
【補正の内容】
【００５７】
（参考例１）
本例は、実施例１の磁場発生装置、インプラント装置及びインプラント保護用義歯の構成を変更した例である。
図７及び図８に示すごとく、インプラント本体２０は、円筒状のインプラント筒部２１と、インプラント筒部２１の先端側開口部を閉塞するように配された円柱状のインプラント中実部２３とを有している。インプラント本体２０は、その軸方向において、基端側の略半分がインプラント筒部２１によって構成されており、残る略半分がインプラント中実部２３によって構成されている。
インプラント筒部２１の内周からなる凹部２６は、その内周面にネジ山が形成された雌ネジ部２６１をなしている。
【手続補正１４】
【補正対象書類名】明細書
【補正対象項目名】００７０
【補正方法】変更
【補正の内容】
【００７０】
（参考例２）
本例は、参考例１におけるインプラント装置及びインプラント保護用義歯の構成を変更した例を示すものである。
図１０に示すごとく、インプラント装置１は、参考例１に示したものと同様のインプラント本体２０と、インプラント本体２０の凹部２６に配される磁場発生装置３０４とを有している。
図１０及び図１１に示すごとく、磁場発生装置３０４は、磁石体３０を内蔵する磁石構造体３００と、磁石体３０の磁力により吸引固定されるキーパ４とを備えている。
【手続補正１５】
【補正対象書類名】明細書
【補正対象項目名】００８４
【補正方法】変更
【補正の内容】
【００８４】
上記実施例１、２、参考例１、２においては、磁石体として永久磁石を用いたがこれに限るものではなく、電磁石等の磁気発生装置を用いてもよい。
また、挿入部は、その一部が、磁性体によって形成されていてもよいが、挿入部の全体が磁性体によって構成されていることが好ましい。つまり、実施例１及び実施例２に示したように軟磁性体と磁石体とによって構成されるか、参考例１〜参考例２に示したように軟磁性体によって構成されているか、挿入部の全体が磁石体によって構成されていることが好ましい。また、挿入部の少なくとも一部が磁石体で構成されている場合には、実施例１及び実施例２に示した挿入部と同様の構成とすることが好ましい。この場合には、より広い範囲に磁場を発生させることができ、オッセオインテグレーションにかかる期間の更なる短縮が期待される。
【手続補正１６】
【補正対象書類名】明細書
【補正対象項目名】００８５
【補正方法】変更
【補正の内容】
【００８５】
また、磁場発生装置は、磁石体を複数有していてもよい。例えば、実施例１及び実施例２に示した挿入部に内蔵された磁石体と、参考例１〜参考例２のいずれかに示したインプラント本体における凹部の開口部が形成された端部よりも外側の位置に配された磁石体との両方を有していてもよい。この場合には、より広い範囲に強い磁場を発生させることができ、オッセオインテグレーションにかかる期間の更なる短縮が期待される。